(57)【特許請求の範囲】
【請求項１】
電力が供給される受電部及び情報の送受を行う媒体側情報送受部を配置するための媒体側配置面を備えた無線通信媒体と、
前記受電部に対し電力を供給する給電部及び前記媒体側情報送受部と情報の送受を行う装置側情報送受部を配置するための装置側配置面を備えた無線通信装置とからなり、
前記媒体側配置面と前記装置側配置面とを対向させて前記無線通信媒体と無線通信装置との間で通信を行なう無線通信システムであって、
前記装置側情報送受部を、
前記装置側配置面上の前記無線通信媒体と対向する対向部を略二分する第１の直線に対して線対称となる一対の線対称位置の双方に設けるとともに、その前記第１の直線方向長さがその前記第１の直線と略直角となる方向長さよりも長くなるようにそれぞれ設け、
前記媒体側情報送受部を、
前記線対称位置の双方に設けた装置側情報送受部のうちのいずれかに対し通信時に対向する位置に設け、
前記給電部を、
前記線対称位置の双方に設けた装置側情報送受部間の中間位置に設け、
前記受電部を、
通信時に前記給電部に対向する位置に設けた
ことを特徴とする無線通信システム。
【請求項２】
請求項１記載の無線通信システムにおいて、
前記装置側情報送受部を、
前記第１の直線と略直角な第２の直線に対して線対称となる一対の線対称位置の双方に設けるとともに、その前記第２の直線方向長さがその前記第１の直線方向長さよりも長くなるようにそれぞれ設けたことを特徴とする無線通信システム。
【請求項３】
電力が供給される受電部及び情報の送受を行う媒体側情報送受部を配置するための媒体側配置面を備えた無線通信媒体と、
前記受電部に対し電力を供給する給電部及び前記媒体側情報送受部と情報の送受を行う装置側情報送受部を配置するための装置側配置面を備えた無線通信装置とからなり、
前記媒体側配置面と前記装置側配置面とを対向させて前記無線通信媒体と無線通信装置との間で通信を行なう無線通信システムであって、
前記給電部を、
前記装置側配置面上の前記無線通信媒体と対向する対向部を略二分する第１の直線に対して線対称となる一対の線対称位置の双方に設けるとともに、その前記第１の直線方向長さがその前記第１の直線と略直角となる方向長さよりも長くなるようにそれぞれ設け、
前記受電部を、
前記線対称位置の双方に設けた給電部のうちのいずれかに対し通信時に対向する位置に設け、
前記装置側情報送受部を、
前記線対称位置の双方に設けた給電部間の中間位置に設け、
前記媒体側情報送受部を、
通信時に前記装置側情報送受部に対向する位置に設けた
ことを特徴とする無線通信システム。
【請求項４】
請求項３記載の無線通信システムにおいて、
前記給電部を、
前記第１の直線と略直角な第２の直線に対して線対称となる一対の線対称位置の双方に設けるとともに、その前記第２の直線方向長さがその前記第１の直線方向長さよりも長くなるようにそれぞれ設けたことを特徴とする無線通信システム。
【請求項５】
電力が供給される受電部及び情報の送受を行う媒体側情報送受部を配置するための媒体側配置面を備えた無線通信媒体と、
前記受電部に対し電力を供給する給電部及び前記媒体側情報送受部と情報の送受を行う装置側情報送受部を配置するための装置側配置面を備えた無線通信装置とからなり、
前記媒体側配置面と前記装置側配置面とを対向させて前記無線通信媒体と無線通信装置との間で通信を行なう無線通信システムであって、
前記媒体側情報送受部を、
前記媒体側配置面を略二分する第３の直線に対して線対称となる一対の線対称位置の双方に設けるとともに、その前記第３の直線方向長さがその前記第３の直線と略直角となる方向長さよりも長くなるようにそれぞれ設け、
前記装置側情報送受部を、
前記線対称位置の双方に設けた媒体側情報送受部のうちのいずれかに対し通信時に対向する位置に設け、
前記受電部を、
前記線対称位置の双方に設けた媒体側情報送受部間の中間位置に設け、
前記給電部を、
通信時に前記受電部に対向する位置に設けた
ことを特徴とする無線通信システム。
【請求項６】
請求項５記載の無線通信システムにおいて、
前記媒体側情報送受部を、
前記第３の直線と略直角な第４の直線に対して線対称となる一対の線対称位置の双方に設けるとともに、その前記第４の直線方向長さがその前記第３の直線方向長さよりも長くなるようにそれぞれ設けたことを特徴とする無線通信システム。
【請求項７】
電力が供給される受電部及び情報の送受を行う媒体側情報送受部を配置するための媒体側配置面を備えた無線通信媒体と、
前記受電部に対し電力を供給する給電部及び前記媒体側情報送受部と情報の送受を行う装置側情報送受部を配置するための装置側配置面を備えた無線通信装置とからなり、
前記媒体側配置面と前記装置側配置面とを対向させて前記無線通信媒体と無線通信装置との間で通信を行なう無線通信システムであって、
前記受電部を、
前記媒体側配置面を略二分する第３の直線に対して線対称となる一対の線対称位置の双方に設けるとともに、その前記第３の直線方向長さがその前記第３の直線と略直角となる方向長さよりも長くなるようにそれぞれ設け、
前記給電部を、
前記線対称位置の双方に設けた受電部のうちのいずれかに対し通信時に対向する位置に設け、
前記媒体側情報送受信部を、
前記線対称位置の双方に設けた受電部間の中間位置に設け、
前記装置側情報送受信部を、
通信時に前記媒体側情報送受信部に対向する位置に設けた
ことを特徴とする無線通信システム。
【請求項８】
請求項７記載の無線通信システムにおいて、
前記受電部を、
前記第３の直線と略直角な第４の直線に対して線対称となる一対の線対称位置の双方に設けるとともに、その前記第４の直線方向長さがその前記第３の直線方向長さよりも長くなるようにそれぞれ設けたことを特徴とする無線通信システム。
【請求項９】
請求項１乃至８のいずれか１項記載の無線通信システムにおいて、
前記装置側配置面の対向部に、通信時の前記無線通信媒体の対向位置を案内するガイド手段を設けたことを特徴とする無線通信システム。
【請求項１０】
請求項１乃至９のいずれか１項記載の無線通信システムにおいて、
前記受電部の媒体側配置面方向寸法を前記給電部の装置側配置面方向寸法より大きく構成したことを特徴とする無線通信システム。
【請求項１１】
請求項１乃至１０のいずれか１項記載の無線通信システムにおいて、
前記装置側情報送受部が送信状態になると前記媒体側情報送受部が受信状態に切り替わり、前記装置側情報送受部が受信状態になると前記媒体側情報送受部が送信状態に切り替わるように、前記媒体側情報送受部と前記装置側情報送受部とを連携して制御する連携制御手段を有することを特徴とする無線通信システム。
【請求項１２】
請求項１乃至１１のいずれか１項記載の無線通信システムにおいて、
前記無線通信装置は、
前記装置側情報送受部の送信状態と受信状態を切り替える第１切替手段を有し、
前記無線通信媒体は、
前記媒体側情報送受部の送信状態と受信状態を切り替える第２切替手段を有することを特徴とする無線通信システム。
【請求項１３】
請求項１乃至１２のいずれか１項記載の無線通信システムにおいて、
前記無線通信媒体は、
前記装置側情報送受部と前記媒体側情報送受部との間で送受される情報に関連する表示を行う表示手段を有することを特徴とする無線通信システム。
【請求項１４】
請求項１３記載の無線通信システムにおいて、
前記無線通信装置は、
前記電源から前記給電部及び前記受電部を介して前記表示手段に供給される電力を制御する電力制御手段を有することを特徴とする無線通信システム。
【発明の詳細な説明】
【技術分野】
【０００１】
本発明は、ＩＣカード等の無線通信媒体、及び、この無線通信媒体に対し情報の書込み・読出しや電力供給を行う無線通信装置、を有する無線通信システムに関する。
【背景技術】
【０００２】
例えばＩＣカード等の無線通信媒体と、この無線通信媒体に対し情報の書込み・読出しや電力供給を行うリーダ／ライタ等の無線通信装置とを有する無線通信システムにおいては、無線通信媒体への動作電力の供給や情報の送受信を行うために多くの方式やシステムが開発され、広く実用化されている。電力供給や情報の送受の方式としては、コネクタ等を用いる接触方式や、コイルを用いる電磁結合方式、光方式、あるいは電波方式等の非接触方式がある。
【０００３】
一般に、上記電磁結合方式による無線通信システムにおいては、通信時に無線通信装置と無線通信媒体とが対向配置される。このとき、無線通信装置における無線通信媒体と対向する対向面には、その中央部に給電用パワーコイル、一方側に送信データコイル、他方側に受信データコイルが配置され、無線通信媒体における無線通信装置と対向する対向面には、その中央部に受電用パワーコイル、一方側に受信データコイル、他方側に送信データコイルが配置されている。その結果、通信時には、無線通信装置の給電用データコイルと無線通信媒体の受電用データコイル、無線通信装置の送信データコイルと無線通信媒体の受信データコイル、及び無線通信装置の受信データコイルと無線通信媒体の送信データコイルとが対向配置される。これにより、無線通信装置側からの電源電力が無線通信媒体に供給される一方、無線通信装置と無線通信媒体との間で情報の送受が行われる。
【０００４】
上記構成の電磁結合方式による無線通信システムとしては、例えば特許文献１に記載のものが知られている。この従来技術では、無線通信媒体（可搬情報記録媒体）の無線通信装置（装置本体）に対する対向状態（対向面が表か裏か）を検出する表裏センサと、この表裏センサからの検出信号に基づいて無線通信装置側又は無線通信媒体側の送信データコイルと受信データコイルのチャンネルを切り替える切替手段とが設けられている。これにより、通信時に無線通信媒体をその対向面の一方側と他方側が反対となるように表裏反対として無線通信装置と対向配置させた場合であっても、切替手段により無線通信装置側又は無線通信媒体側の送信データコイルと受信データコイルを切り替えることによって、無線通信装置と無線通信媒体との間で送信データコイルと受信データコイルとを対向させることができる。したがって、無線通信媒体への電力供給及び情報の送受信を行うことが可能な無線通信媒体と無線通信装置との対向配置態様の自由度を増加でき、無線通信媒体を利用するユーザの利便性を向上できるようになっている。
【０００５】
【特許文献１】特許第３４９１９３１号公報
【発明の開示】
【発明が解決しようとする課題】
【０００６】
上述したように、上記従来技術の無線通信システムにおいては無線通信媒体を表裏反対とした場合にも情報の送受信等が可能であり、ユーザの利便性を向上できる。しかしながら、そのために表裏センサを設けると共に、この表裏センサからの検出信号に基づいて無線通信装置側又は無線通信媒体側の送信データコイルと受信データコイルのチャンネルを切り替えるための回路構成が必要となる。そのため、回路構成が複雑となる。
【０００７】
本発明の目的は、簡単な回路構成で、ユーザの利便性を向上できる無線通信システムを提供することにある。
【課題を解決するための手段】
【０００８】
上記目的を達成するために、第１発明は、電力が供給される受電部及び情報の送受を行う媒体側情報送受部を配置するための媒体側配置面を備えた無線通信媒体と、前記受電部に対し電力を供給する給電部及び前記媒体側情報送受部と情報の送受を行う装置側情報送受部を配置するための装置側配置面を備えた無線通信装置とからなり、前記媒体側配置面と前記装置側配置面とを対向させて前記無線通信媒体と無線通信装置との間で通信を行なう無線通信システムであって、前記装置側情報送受部を、前記装置側配置面上の前記無線通信媒体と対向する対向部を略二分する第１の直線に対して線対称となる一対の線対称位置の双方に設けるとともに、その前記第１の直線方向長さがその前記第１の直線と略直角となる方向長さよりも長くなるようにそれぞれ設け、前記媒体側情報送受部を、前記線対称位置の双方に設けた装置側情報送受部のうちのいずれかに対し通信時に対向する位置に設け、前記給電部を、前記線対称位置の双方に設けた装置側情報送受部間の中間位置に設け、前記受電部を、通信時に前記給電部に対向する位置に設けたことを特徴とする
【０００９】
本願第１発明においては、無線通信装置と無線通信媒体（例えばＩＣカード等）との通信時には、無線通信装置側からの電源電力をその給電部から無線通信媒体の受電部を介して供給する一方、無線通信装置の装置側情報送受部と無線通信媒体の媒体側情報送受部との間で情報の送受を行う。この無線通信装置から無線通信媒体への電力供給及び相互間の情報の送受信は、給電部と受電部、及び装置側情報送受部と媒体側情報送受部とが対向配置されることによりそれぞれ行われる。
【００１０】
ここで、本願第１発明においては、媒体側情報送受部又は装置側情報送受部のうち一方の情報送受部を、媒体側配置面又は装置側配置面上の所定の直線に対して線対称となる一対の線対称位置の双方に設けるとともに、媒体側情報送受部又は装置側情報送受部のうち他方の情報送受部を、上記線対称位置の双方に設けた一方の情報送受部のうちのいずれかの情報送受部に対し通信時に少なくとも一部が対向する位置に設ける。これにより、給電部及び受電部については上記２箇所（線対称位置の双方）に設けた情報送受部間の中間位置及びそれに対応する位置に設けることで、通信時に無線通信媒体の媒体側配置面と無線通信装置の装置側配置面とを対向配置させる際に、上記２箇所に設けた一方の情報送受部の対称位置関係に対応するように無線通信媒体を表裏反対とした場合であっても、給電部と受電部、及び上記２箇所に設けた一方の情報送受部のうちの少なくとも１つと他方の情報送受部とを対向させることが可能となる。
【００１１】
また本願第１発明においては、給電部又は受電部のうち一方を、媒体側配置面又は装置側配置面上の所定の直線に対して線対称となる一対の線対称位置の双方に設けるとともに、給電部又は受電部のうち他方を、上記線対称位置の双方に設けた給電部又は受電部のいずれかに対し通信時に少なくとも一部が対向する位置に設ける。これにより、媒体側情報送受部及び装置側情報送受部については上記２箇所（線対称位置の双方）に設けた給電部又は受電部のうち一方の中間位置及びそれに対応する位置に設けることで、通信時に無線通信媒体の媒体側配置面と無線通信装置の装置側配置面とを対向配置させる際に、上記２箇所に設けた給電部又は受電部の対称位置関係に対応するように無線通信媒体を表裏反対とした場合であっても、媒体側情報送受部と装置側情報送受部、及び上記２箇所に設けた給電部又は受電部のうち一方の少なくとも１つと給電部又は受電部のうち他方とを対向させることが可能となる。
【００１２】
以上のように、本願第１発明によれば、通信時に無線通信媒体を所定の方向に表裏反対としても、給電部と受電部、及び情報送受部を対向させることができ、無線通信装置から無線通信媒体への電力供給及び情報の送受信を行うことができる。これにより、無線通信媒体への電力供給及び情報の送受信を行うことが可能な無線通信媒体と無線通信装置との対向配置態様の自由度を増加でき、無線通信媒体（例えばＩＣカード等）を利用するユーザの利便性を向上できる。一方で、例えば無線通信媒体の表裏を検出して送信・受信回路を切り替えるといった構成が不要となり、回路構成を単純化することができる。したがって、簡単な回路構成で、ユーザの利便性を向上することができる。
【００１４】
また、装置側情報送受部を第１の直線に対して線対称となる一対の線対称位置の双方に設けるとともに、媒体側情報送受部を装置側情報送受部のうちのいずれかに対し通信時に対向する位置に設ける。これにより、通信時に無線通信媒体を第１の直線に平行な軸周りに回転させて表裏反対としても、第１の直線に対して線対称となる線対称位置の双方に設けた装置側情報送受部のいずれか１つと媒体側情報送受部とを対向させて、無線通信装置と無線通信媒体との間で情報の送受信を行うことができる。
【００１６】
また、給電部を装置側情報送受部間の中間位置に設けるとともに、受電部を通信時に給電部に対向する位置に設ける。これにより、通信時に無線通信媒体を第１の直線に平行な軸周りに回転させて表裏反対としても、無線通信装置の給電部と無線通信媒体の受電部との位置関係は変わらず、給電部と受電部とを対向させて、無線通信装置から無線通信媒体へ電力を供給することができる。
【００１８】
装置側情報送受部を装置側対向部を略二分する第１の直線に対して線対称となる一対の線対称位置の双方に設け、媒体側情報送受部をその線対称位置に設けた装置側情報送受部のいずれか１つの対向位置に設ける場合、例えば無線通信媒体を上記第１の直線と通信対向時に直角となるもう一方の直線（第２の直線）に平行な軸周りに回転させて表裏反対とする場合、媒体側情報送受部がその回転軸上に位置していなければ、媒体側情報送受部の位置はその表裏回転動作によって上記第１の直線と略平行な方向に沿って移動する。
【００１９】
このとき、本願第１発明においては、装置側情報送受部を第１の直線に対して線対称となる一対の線対称位置の双方に配置すると共に、それら装置側情報送受部をその第１の直線方向長さがその第１の直線と略直角となる方向長さよりも長くなるようにそれぞれ設ける。これにより、装置側情報送受部を、上記無線通信媒体の第２の直線に平行な軸周りの表裏回転動作に伴う媒体側情報送受部の移動範囲を包含するように配設することが可能となる。
【００２０】
したがって、本願第１発明によれば、無線通信媒体を第１の直線と平行な軸周りに回転させて表裏反対とした場合のみでなく、第２の直線と平行な軸周りに回転させて表裏反対としても、第１の直線方向に長めに設けた２箇所（線対称位置の双方）の装置側情報送受部のいずれか１つと媒体側情報送受部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性を一層向上できる。
【００２１】
第２発明は、上記第１発明において、前記装置側情報送受部を、前記第１の直線と略直角な第２の直線に対して線対称となる一対の線対称位置の双方に設けるとともに、その前記第２の直線方向長さがその前記第１の直線方向長さよりも長くなるようにそれぞれ設けたことを特徴とする。
【００２２】
本願第２発明においては、装置側情報送受部を第１の直線に対して線対称となる一対の線対称位置の双方に設けるとともに、上記第１の直線に直角な第２の直線に対して線対称となる一対の線対称位置の双方にさらに設け、且つ、上記４箇所に設けた装置側情報送受部をその第１の直線方向長さがその第２の直線方向長さよりも長くなるように（又はその第２の直線方向長さがその第１の直線方向長さよりも長くなるように）それぞれ設ける。これにより、第１の直線方向に沿って形成した装置側情報送受部と、第２の直線方向に沿って形成した装置側情報送受部とを、その両端部がそれぞれ重なるように設け、対向部内において四方を囲むように装置側情報送受部を設けることが可能となる。これにより、無線通信媒体を上記第１の直線及び第２の直線に平行な軸周りに回転させて表裏反対とした場合のみでなく、無線通信媒体を媒体側配置面上において回転させた場合にも、その回転動作に伴う媒体側情報送受部の移動範囲を包含させることができ、上記４箇所に設けた装置側情報送受部のいずれか１つと媒体側情報送受部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性をより一層向上できる。
また、上記目的を達成するために、第３発明は、電力が供給される受電部及び情報の送受を行う媒体側情報送受部を配置するための媒体側配置面を備えた無線通信媒体と、前記受電部に対し電力を供給する給電部及び前記媒体側情報送受部と情報の送受を行う装置側情報送受部を配置するための装置側配置面を備えた無線通信装置とからなり、前記媒体側配置面と前記装置側配置面とを対向させて前記無線通信媒体と無線通信装置との間で通信を行なう無線通信システムであって、前記給電部を、前記装置側配置面上の前記無線通信媒体と対向する対向部を略二分する第１の直線に対して線対称となる一対の線対称位置の双方に設けるとともに、その前記第１の直線方向長さがその前記第１の直線と略直角となる方向長さよりも長くなるようにそれぞれ設け、前記受電部を、前記線対称位置の双方に設けた給電部のうちのいずれかに対し通信時に対向する位置に設け、前記装置側情報送受部を、前記線対称位置の双方に設けた給電部間の中間位置に設け、前記媒体側情報送受部を、通信時に前記装置側情報送受部に対向する位置に設けたことを特徴とする。
給電部を装置側対向部を略二分する第１の直線に対して線対称となる一対の線対称位置の双方に設け、受電部をその線対称位置に設けた給電部のいずれか１つの対向位置に設ける場合、例えば無線通信媒体を上記第１の直線と通信対向時に直角となるもう一方の直線（第２の直線）に平行な軸周りに回転させて表裏反対とする場合、受電部がその回転軸上に位置していなければ、受電部の位置はその表裏回転動作によって上記第１の直線と略平行な方向に沿って移動する。
このとき、本願第３発明においては、給電部を第１の直線に対して線対称となる一対の線対称位置の双方に配置すると共に、それら給電部をその第１の直線方向長さがその第１の直線と略直角となる方向長さよりも長くなるようにそれぞれ設ける。これにより、給電部を、上記無線通信媒体の第２の直線に平行な軸周りの表裏回転動作に伴う受電部の移動範囲を包含するように配設することが可能となる。
したがって、本願第３発明によれば、無線通信媒体を第１の直線と平行な軸周りに回転させて表裏反対とした場合のみでなく、第２の直線と平行な軸周りに回転させて表裏反対としても、第１の直線方向に長めに設けた２箇所（線対称位置の双方）の給電部のいずれか１つと受電部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性を一層向上できる。
第４発明は、上記第３発明において、前記給電部を、前記第１の直線と略直角な第２の直線に対して線対称となる一対の線対称位置の双方に設けるとともに、その前記第２の直線方向長さがその前記第１の直線方向長さよりも長くなるようにそれぞれ設けたことを特徴とする。
本願第４発明においては、給電部を第１の直線に対して線対称となる一対の線対称位置の双方に設けるとともに、上記第１の直線に直角な第２の直線に対して線対称となる一対の線対称位置の双方にさらに設け、且つ、上記４箇所に設けた給電部をその第１の直線方向長さがその第２の直線方向長さよりも長くなるように（又はその第２の直線方向長さがその第１の直線方向長さよりも長くなるように）それぞれ設ける。これにより、第１の直線方向に沿って形成した給電部と、第２の直線方向に沿って形成した給電部とを、その両端部がそれぞれ重なるように設け、対向部内において四方を囲むように給電部を設けることが可能となる。これにより、無線通信媒体を上記第１の直線及び第２の直線に平行な軸周りに回転させて表裏反対とした場合のみでなく、無線通信媒体を媒体側配置面上において回転させた場合にも、その回転動作に伴う受電部の移動範囲を包含させることができ、上記４箇所に設けた給電部のいずれか１つと受電部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性をより一層向上できる。
また、上記目的を達成するために、第５発明は、電力が供給される受電部及び情報の送受を行う媒体側情報送受部を配置するための媒体側配置面を備えた無線通信媒体と、前記受電部に対し電力を供給する給電部及び前記媒体側情報送受部と情報の送受を行う装置側情報送受部を配置するための装置側配置面を備えた無線通信装置とからなり、前記媒体側配置面と前記装置側配置面とを対向させて前記無線通信媒体と無線通信装置との間で通信を行なう無線通信システムであって、前記媒体側情報送受部を、前記媒体側配置面を略二分する第３の直線に対して線対称となる一対の線対称位置の双方に設けるとともに、その前記第３の直線方向長さがその前記第３の直線と略直角となる方向長さよりも長くなるようにそれぞれ設け、前記装置側情報送受部を、前記線対称位置の双方に設けた媒体側情報送受部のうちのいずれかに対し通信時に対向する位置に設け、前記受電部を、前記線対称位置の双方に設けた媒体側情報送受部間の中間位置に設け、前記給電部を、通信時に前記受電部に対向する位置に設けたことを特徴とする。
媒体側情報送受部を媒体側配置面を略二分する第３の直線に対して線対称となる一対の線対称位置の双方に設け、装置側情報送受部をその線対称位置に設けた媒体側情報送受部のいずれか１つの対向位置に設ける場合、例えば無線通信媒体を上記第３の直線と通信対向時に直角となるもう一方の直線（第４の直線）に平行な軸周りに回転させて表裏反対とする場合、媒体側情報送受部がその回転軸上に位置していなければ、媒体側情報送受部の位置はその表裏回転動作によって上記第３の直線と略平行な方向に沿って移動する。
このとき、本願第５発明においては、媒体側情報送受部を第３の直線に対して線対称となる一対の線対称位置の双方に配置すると共に、それら媒体側情報送受部をその第３の直線方向長さがその第３の直線と略直角となる方向長さよりも長くなるようにそれぞれ設ける。これにより、媒体側情報送受部が上記無線通信媒体の第４の直線に平行な軸周りに表裏回転動作したとしても、その媒体側情報送受部の範囲内に装置側情報送受部が含まれるように配設することが可能となる。
したがって、本願第５発明によれば、無線通信媒体を第３の直線と平行な軸周りに回転させて表裏反対とした場合のみでなく、第４の直線と平行な軸周りに回転させて表裏反対としても、第３の直線方向に長めに設けた２箇所（線対称位置の双方）の媒体側情報送受部のいずれか１つと装置側情報送受部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性を一層向上できる。
第６発明は、上記第５発明において、前記媒体側情報送受部を、前記第３の直線と略直角な第４の直線に対して線対称となる一対の線対称位置の双方に設けるとともに、その前記第４の直線方向長さがその前記第３の直線方向長さよりも長くなるようにそれぞれ設けたことを特徴とする。
本願第６発明においては、媒体側情報送受部を第３の直線に対して線対称となる一対の線対称位置の双方に設けるとともに、上記第３の直線に直角な第４の直線に対して線対称となる一対の線対称位置の双方にさらに設け、且つ、上記４箇所に設けた媒体側情報送受部をその第３の直線方向長さがその第４の直線方向長さよりも長くなるように（又はその第４の直線方向長さがその第３の直線方向長さよりも長くなるように）それぞれ設ける。これにより、第３の直線方向に沿って形成した媒体側情報送受部と、第４の直線方向に沿って形成した媒体側情報送受部とを、その両端部がそれぞれ重なるように設け、媒体側配置面内において四方を囲むように媒体側情報送受部を設けることが可能となる。これにより、無線通信媒体を上記第３の直線及び第４の直線に平行な軸周りに回転させて表裏反対とした場合のみでなく、無線通信媒体を媒体側配置面上において回転させた場合にも、その回転する媒体側情報送受部の範囲内に装置側情報送受部が含まれるように配設することができ、上記４箇所に設けた媒体側情報送受部のいずれか１つと装置側情報送受部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性をより一層向上できる。
また、上記目的を達成するために、第７発明は、電力が供給される受電部及び情報の送受を行う媒体側情報送受部を配置するための媒体側配置面を備えた無線通信媒体と、前記受電部に対し電力を供給する給電部及び前記媒体側情報送受部と情報の送受を行う装置側情報送受部を配置するための装置側配置面を備えた無線通信装置とからなり、前記媒体側配置面と前記装置側配置面とを対向させて前記無線通信媒体と無線通信装置との間で通信を行なう無線通信システムであって、前記受電部を、前記媒体側配置面を略二分する第３の直線に対して線対称となる一対の線対称位置の双方に設けるとともに、その前記第３の直線方向長さがその前記第３の直線と略直角となる方向長さよりも長くなるようにそれぞれ設け、前記給電部を、前記線対称位置の双方に設けた受電部のうちのいずれかに対し通信時に対向する位置に設け、前記媒体側情報送受信部を、前記線対称位置の双方に設けた受電部間の中間位置に設け、前記装置側情報送受信部を、通信時に前記媒体側情報送受信部に対向する位置に設けたことを特徴とする。
受電部を媒体側配置面を略二分する第３の直線に対して線対称となる一対の線対称位置の双方に設け、給電部をその線対称位置に設けた受電部のいずれか１つの対向位置に設ける場合、例えば無線通信媒体を上記第３の直線と通信対向時に直角となるもう一方の直線（第４の直線）に平行な軸周りに回転させて表裏反対とする場合、受電部がその回転軸上に位置していなければ、受電部の位置はその表裏回転動作によって上記第３の直線と略平行な方向に沿って移動する。
このとき、本願第７発明においては、受電部を第３の直線に対して線対称となる一対の線対称位置の双方に配置すると共に、それら受電部をその第３の直線方向長さがその第３の直線と略直角となる方向長さよりも長くなるようにそれぞれ設ける。これにより、受電部が上記無線通信媒体の第４の直線に平行な軸周りに表裏回転動作したとしても、その受電部の範囲内に給電部が含まれるように配設することが可能となる。
したがって、本願第７発明によれば、無線通信媒体を第３の直線と平行な軸周りに回転させて表裏反対とした場合のみでなく、第４の直線と平行な軸周りに回転させて表裏反対としても、第３の直線方向に長めに設けた２箇所（線対称位置の双方）の受電部のいずれか１つと給電部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性を一層向上できる。
第８発明は、上記第７発明において、前記受電部を、前記第３の直線と略直角な第４の直線に対して線対称となる一対の線対称位置の双方に設けるとともに、その前記第４の直線方向長さがその前記第３の直線方向長さよりも長くなるようにそれぞれ設けたことを特徴とする。
本願第８発明においては、受電部を第３の直線に対して線対称となる一対の線対称位置の双方に設けるとともに、上記第３の直線に直角な第４の直線に対して線対称となる一対の線対称位置の双方にさらに設け、且つ、上記４箇所に設けた受電部をその第３の直線方向長さがその第４の直線方向長さよりも長くなるように（又はその第４の直線方向長さがその第３の直線方向長さよりも長くなるように）それぞれ設ける。これにより、第３の直線方向に沿って形成した受電部と、第４の直線方向に沿って形成した受電部とを、その両端部がそれぞれ重なるように設け、媒体側配置面内において四方を囲むように受電部を設けることが可能となる。これにより、無線通信媒体を上記第３の直線及び第４の直線に平行な軸周りに回転させて表裏反対とした場合のみでなく、無線通信媒体を媒体側配置面上において回転させた場合にも、その回転する受電部の範囲内に給電部が含まれるように配設することができ、上記４箇所に設けた受電部のいずれか１つと給電部とを対向させて、無線通信装置と無線通信媒体との間で情報の送受信を行うことができる。その結果、対向配置態様の自由度をさらに増加でき、無線通信媒体（例えばＩＣカード等）を利用するユーザの利便性をより一層向上できる。

【００３５】
第９発明は、上記第１乃至第８発明のいずれかにおいて、前記装置側配置面の対向部に、通信時の前記無線通信媒体の対向位置を案内するガイド手段を設けたことを特徴とする。
【００３６】
通信時に、対向部に設けたガイド手段を利用して無線通信媒体を対向させることにより、給電部と受電部、及び装置側情報送受部と媒体側情報送受部とを確実に対向させることができる。
【００３７】
第１０発明は、上記第１乃至第９発明のいずれかにおいて、前記受電部の媒体側配置面方向寸法を前記給電部の装置側配置面方向寸法より大きく構成したことを特徴とする。
【００３８】
これにより、通信時に無線通信媒体と無線通信装置との対向位置が多少ずれた場合でも、無線通信媒体における給電部の対向面が受電部の範囲からはみ出さないように、給電部と受電部とを対向させることができる。その結果、無線通信装置側から無線通信媒体への電力供給を漏れなく確実に行うことができる。
【００３９】
第１１発明は、上記第１乃至第１０発明のいずれかにおいて、前記装置側情報送受部が送信状態になると前記媒体側情報送受部が受信状態に切り替わり、前記装置側情報送受部が受信状態になると前記媒体側情報送受部が送信状態に切り替わるように、前記媒体側情報送受部と前記装置側情報送受部とを連携して制御する連携制御手段を有することを特徴とする。
【００４０】
本願第１１発明においては、連携制御手段によって、装置側情報送受部が送信状態になると媒体側情報送受部が受信状態に切り替わり、装置側情報送受部が受信状態になると媒体側情報送受部が送信状態に切り替わる。このように、受信と送信を片方向ずつ行う半二重通信方式を採用することにより、無線通信装置側及び無線通信媒体側のそれぞれに単一の情報送受部を設けるのみで、情報の送受を行うことができる。
【００４１】
第１２発明は、上記第１乃至第１１発明のいずれかにおいて、前記無線通信装置は、前記装置側情報送受部の送信状態と受信状態を切り替える第１切替手段を有し、前記無線通信媒体は、前記媒体側情報送受部の送信状態と受信状態を切り替える第２切替手段を有することを特徴とする。
【００４２】
本願第１２発明においては、無線通信装置から無線通信媒体に情報を送信する場合には、第１切替手段が装置側情報送受部を送信状態に切り替えるとともに、第２切替手段が媒体側情報送受部を受信状態に切り替える。一方、無線通信装置が無線通信媒体から情報を受信する場合には、第１切替手段が装置側情報送受部を受信状態に切り替えるとともに、第２切替手段が媒体側情報送受部を送信状態に切り替える。このようにして、無線通信装置の装置側情報送受部と無線通信媒体の媒体側情報送受部との間で情報の送受を行うことができる。
【００４３】
第１３発明は、上記第１乃至第１２発明のいずれかにおいて、前記無線通信媒体は、前記装置側情報送受部と前記媒体側情報送受部との間で送受される情報に関連する表示を行う表示手段を有することを特徴とする。
【００４４】
これにより、例えば無線通信装置から装置側情報送受部及び媒体側情報送受部を介して情報を受信した場合に、表示手段でその受信情報に関連する表示を行うことができる。また、このように無線通信媒体側に表示手段を設けることで、例えば表示手段として電力供給を断たれても表示を保持可能なコレステリック液晶等を用いた場合には、無線通信装置との通信時以外にも前回の通信時に送受した情報の内容を確認することが可能となる。
【００４５】
第１４発明は、上記第１３発明において、前記無線通信装置は、前記電源から前記給電部及び前記受電部を介して前記表示手段に供給される電力を制御する電力制御手段を有することを特徴とする。
【００４６】
これにより、通信時に、電力制御手段により必要に応じて電源から表示手段への供給電力を増加させることが可能となる。これにより、比較的大きな電力を有する表示手段に対して表示を行うために十分な電力を供給することができ、表示手段による表示を確実に行うことができる。
【発明の効果】
【００５７】
本発明によれば、簡単な回路構成で、ユーザの利便性を向上することができる。
【発明を実施するための最良の形態】
【００５８】
以下、本発明の一実施の形態を図面を参照しつつ説明する。本実施形態は、無線通信媒体としてのＩＣカードとこのＩＣカードと情報の送受信を行う無線通信装置からなる無線通信システムに本発明を適用する場合の実施形態である。
【００５９】
図１は、本実施形態の無線通信システム１００の全体構造を簡略的に表す図である。この図１において、無線通信システム１００は、ＩＣ（integrated circuit）カード２００と、このＩＣカード２００（無線通信媒体）に対し電力を供給すると共にＩＣカード２００と情報の送受信を行う無線通信装置３００とを有している。
【００６０】
上記ＩＣカード２００は表面２０１（媒体側配置面）と裏面２０２（媒体側配置面）とを有しており、その表面２０１に上記無線通信装置３００との間で送受信される情報に関連する表示を行う液晶表示部２０３（表示手段）を有している。本実施形態ではこの液晶表示部２０３に表示電力が不要なコレステリック液晶が採用されており、電力供給を断たれても表示が可能なようになっている。
【００６１】
上記無線通信装置３００は、通信時に上記ＩＣカード２００と対向させるための傾斜面３０１（装置側配置面）を有している。この対向面３０１には、ＩＣカード２００の対向位置をガイドするための凹部３０２（ガイド手段）が形成されており、この凹部３０２の底面には対向面３０３（対向部）が設けられている。なお、上記凹部３０２はＩＣカード２００とほぼ同形状に形成されている。通常、通信時にはＩＣカード２００をその裏面２０２が上記無線通信装置３００側となるようにして凹部３０２に嵌合し、ＩＣカード２００の裏面２０２と無線通信装置３００の対向面３０３とを対向させることにより、無線通信装置３００からＩＣカード２００に電力が供給されると共に情報の送受信がされる。
【００６２】
図２は無線通信装置３００の上記対向面３０３内に設けられた給電コイル、データコイルの配置構成及びＩＣカード２００内に設けられた受電コイル、データコイルの配置構成を表す図である。
【００６３】
この図２において、ＩＣカード２００に電力を供給するための給電コイル３０４（給電部）は上記無線通信装置３００の対向面３０３の略面中心部に設けられており、ＩＣカード２００との間で情報の送受信を行うためのデータコイル３０５Ａ，３０５Ｂ（装置側情報送受部）は、上記対向面３０３上にあり上記対向面３０３を長手方向（図２中上下方向）に略二分する直線Ｌ１（第１の直線）に対して線対称となる一対の線対称位置の双方に設けられている。なお、短手方向については、上記データコイル３０５Ａ，３０５Ｂ及び給電コイル３０４は、対向面３０３の短手方向（図２中左右方向）略中央部にそれぞれ配置されている。
【００６４】
一方、上記給電コイル３０４と磁気的に結合して無線通信装置３００から供給される電力を受電するための受電コイル２０４（受電部）はＩＣカード２００の略面中心部に設けられており、上記データコイル３０５Ａ（又はデータコイル３０５Ｂ）と磁気的に結合して無線通信装置３００との間で情報の送受信を行うためのデータコイル２０５（媒体側情報送受部）は、上記無線通信装置３００のデータコイル３０５Ａ又は３０５Ｂ（本実施形態ではデータコイル３０５Ａ）に対応する位置（すなわち通信時にデータコイル３０５Ａ又は３０５Ｂと対向する位置）に設けられている。なお、上記受電コイル２０４には、上記無線通信装置３００に設けた給電コイル３０４よりやや大きめのコイルが用いられている。
【００６５】
以上のような構成により、ＩＣカード２００を無線通信装置３００の上記凹部３０２に嵌合させた際に、無線通信装置３００の上記給電コイル３０４とＩＣカード２００の受電コイル２０１とが磁気的に結合されるとともに、無線通信装置３００のデータコイル３０５Ａ又は３０５ＢとＩＣカード２００のデータコイル２０５とが磁気的に結合するようになっている。
【００６６】
図３はＩＣカード２００及び無線通信装置３００の機能的構成の詳細を表す機能ブロック図である。
【００６７】
この図３において、無線通信装置３００は、上記データコイル３０５Ａ及びデータコイル２０５を介してＩＣカード２００にアクセスする(読取り／書込みを行う)ための搬送波を発生させるとともに、後述するスキャナ制御部３０９から入力される制御信号に基づいて上記搬送波を変調する送信回路３０６Ａと、ＩＣカード２００から上記データコイル２０５及びデータコイル３０５Ａを介して受信された応答信号の復調を行い、後述するスキャナ制御部３０９に出力する受信回路３０７Ａと、後述する電源３１０の電力供給先を上記送信回路３０６Ａ又は受信回路３０７Ａへ切り替える電源スイッチ３０８Ａ（第１切替手段）とを有する。また同様に、上記データコイル３０５Ｂ及びデータコイル２０５を介してＩＣカード２００にアクセスするための搬送波を発生させるとともに、後述のスキャナ制御部３０９から入力される制御信号に基づいて上記搬送波を変調する送信回路３０６Ｂと、ＩＣカード２００から上記データコイル２０５及びデータコイル３０５Ｂを介して受信された応答信号の復調を行い、後述するスキャナ制御部３０９に出力する受信回路３０７Ｂと、後述する電源３１０の電力供給先を上記送信回路３０６Ｂ又は受信回路３０７Ｂへ切り替える電源スイッチ３０８Ｂ（第１切替手段）とを有する。すなわち無線通信装置３００は、データコイル３０５、送信回路３０６、受信回路３０７、及び電源スイッチ３０８からなる情報送受のための回路構成を一対有している。
【００６８】
また、無線通信装置３００は、上記送信回路３０６Ａ，３０６Ｂにおける搬送波の変調制御及び上記受信回路３０７Ａ，３０７Ｂで復調した信号の処理を行うとともに、上記電源スイッチ３０８Ａ，３０８Ｂの切替先を制御するスキャナ制御部３０９と、上記給電コイル３０４及び受電コイル２０１を介しＩＣカード２００へ電力を供給するとともに、上記スキャナ制御部３０９及び上記電源スイッチ３０８Ａ，３０８Ｂを介して送信回路３０６Ａ，３０６Ｂ又は受信回路３０７Ａ，３０７Ｂに電力を供給する電源３１０とを有している。
【００６９】
一方、ＩＣカード２００は、上記データコイル２０５，３０５Ａを介し無線通信装置３００に返信するための搬送波を発生させるとともに、後述するカード制御部２１０から入力される制御信号に基づいて上記搬送波を変調する送信回路２０６と、上記データコイル３０５Ａ，２０５を介して受信された無線通信装置３００からの信号を復調するとともに後述するカード制御部２１０に出力する受信回路２０７と、上記無線通信装置３００の電源３１０から給電コイル３０４及び受電コイル２０１を介して供給された電力の供給先を上記送信回路２０６又は受信回路２０７へ切り替える電源スイッチ２０８（第２切替手段）とを有する。
【００７０】
また、ＩＣカード２００は、後述するカード制御部２１０からの制御信号に基づき上記液晶表示部２０３の表示制御を行う表示制御回路２０９と、上記送信回路２０６における搬送波の変調制御及び上記受信回路２０７で復調した信号の処理を行うとともに、上記電源スイッチ２０８の切替先を制御し、且つ上記表示制御回路２０９を介して液晶表示部２０３の表示に係る制御を行うカード制御部２１０と、上記無線通信装置３００の電源３１０から給電コイル３０４及び受電コイル２０１を介して供給された供給電力の整流を行う整流回路２１１とを有している。
【００７１】
上記スキャナ制御部３０９及びカード制御部２１０は、特に図示はしないが、ＣＰＵ（中央演算装置）、ＲＡＭやＲＯＭからなるメモリ、タイマ等を備えている。
【００７２】
以上のような構成である無線通信装置３００とＩＣカード２００との間で、通信時に行われる無線通信装置３００からＩＣカード２００への電力供給と情報の送受信は、上記無線通信装置３００のスキャナ制御部３０９及び上記ＩＣカード２００のカード制御部２１０の制御により行われる。以下、これらスキャナ制御部３０９及びカード制御部２１０により行われる制御手順について詳細に説明する。
【００７３】
図４は、通信時に上記無線通信装置３００のスキャナ制御部３０９により行われる制御手順を表すフローチャートである。
【００７４】
まずステップＳ１００では、ＩＣカード２００が無線通信装置３００の凹部３０２に置かれたかどうか（言い換えればＩＣカード２００が無線通信装置３００の対向面３０３の対向位置にあるかどうか）を検出するカード有検出処理を行う（詳細は後述の図５参照）。
【００７５】
次のステップＳ３００では、ＩＣカード２００に情報を送信し、そのカード制御部２１０に対し情報の書込みを行うデータ書込み処理を行う（詳細は後述の図６参照）。
【００７６】
次のステップＳ５００では、ＩＣカード２００が無線通信装置３００の凹部３０２から外されたかどうか（言い換えればＩＣカード２００が無線通信装置３００の対向面３０３の対向位置から外されたかどうか）を検出するカード有無検出処理を行う（詳細は後述の図７参照）。
【００７７】
図５は上記ステップＳ１００のカード有検出処理の詳細手順を表すフローチャートである。
【００７８】
まずステップＳ１１０では、電源スイッチ３０８Ａに制御信号を出力し、送信回路３０６Ａ側に切り替える。これにより、電源３１０の電力が送信回路３０６Ａに供給されるとともに受信回路３０７Ａへの電力供給が遮断され、送信回路３０６Ａの電源がＯＮとなり受信回路３０７Ａの電源がＯＦＦとなる。
【００７９】
次のステップＳ１２０では５ｍ秒待機する。なお、この５ｍ秒のカウントはスキャナ制御部３０９が有する図示しないタイマにより行われる。
【００８０】
次のステップＳ１３０では、送信回路３０６Ａに制御信号を出力し、ＩＤ要求信号としての所定の変調を行った搬送波をデータコイル３０５Ａ及びデータコイル２０５を介してＩＣカード２００に対し送信する。このＩＤ要求信号は、ＩＣカード２００に対しそのカード制御部２１０（のメモリ）に記憶されたカードＩＤを返信するように要求する信号であり、これを受けたカード制御部２１０は送信回路２０６を制御して無線通信装置３００にカードＩＤを送信するようになっている。
【００８１】
次のステップＳ１４０では、上記ステップＳ１２０と同様にして５ｍ秒待機する。
【００８２】
次のステップＳ１５０では、電源スイッチ３０８Ａに制御信号を出力し、受信回路３０７Ａ側に切り替える。これにより、電源３１０の電力が受信回路３０７Ａに供給されるとともに送信回路３０６Ａへの電力供給が遮断され、受信回路３０７Ａの電源がＯＮとなり送信回路３０６Ａの電源がＯＦＦとなる（図３に示す状態）。
【００８３】
次のステップＳ１６０では、上記ステップＳ１５０で受信回路３０７Ａの電源をＯＮとしてからの時間（応答待ち時間）のカウントを開始する。なお、このカウントはスキャナ制御部３０９が有する図示しないタイマにより行われる。
【００８４】
次のステップＳ１７０では、ＩＣカード２００からの先のステップＳ１３０で送信したＩＤ要求信号に対する応答信号、すなわちカードＩＤが未受信であるかどうかを判定する。受信していなければ、判定が満たされて次のステップＳ１８０に移る。
【００８５】
ステップＳ１８０では、上記ステップＳ１６０で開始した応答待ち時間のカウントが１００ｍ秒以上となったかどうかを判定する。１００ｍ秒以上であれば判定が満たされてステップＳ１１０に戻る。一方、１００ｍ秒未満であれば判定が満たされずにステップＳ１７０に戻る。
【００８６】
なお、先のステップＳ１７０でＩＣカード２００からカードＩＤを受信した場合には、判定が満たされずにステップＳ１９０に移り、５ｍ秒待機して本フローを終了する。
【００８７】
以上説明したカード有検出処理においては、ＩＣカード２００からカードＩＤが受信されない限り（言い換えればＩＣカード２００が無線通信装置３００の凹部３０２に置かれない限り）、ステップＳ１１０〜ステップＳ１８０において「送信状態に切替→５ｍ秒後にＩＤ要求信号を送信→５ｍ秒後に受信状態に切替→１００ｍ秒応答を待つ→送信状態に切替」が繰り返されるようになっている。
【００８８】
図６は上記図４のステップＳ３００のデータ書込み処理の詳細手順を表すフローチャートである。
【００８９】
まず、ステップＳ３１０では、ＩＣカード２００に対する表示データの送信回数をカウントする送信カウンタを０にリセットする。
【００９０】
次のステップＳ３２０では、電源スイッチ３０８Ａに制御信号を出力し、送信回路３０６Ａ側に切り替える。これにより、電源３１０の電力が送信回路３０６Ａに供給されるとともに受信回路３０７Ａへの電力供給が遮断され、送信回路３０６Ａの電源がＯＮとなり受信回路３０７Ａの電源がＯＦＦとなる。
【００９１】
次のステップＳ３３０では５ｍ秒待機する。なお、この５ｍ秒のカウントはスキャナ制御部３０９が有する図示しないタイマにより行われる。
【００９２】
次のステップＳ３４０では送信回路３０６Ａに制御信号を出力し、表示データとしての所定の変調を行った搬送波をデータコイル３０５Ａ及びデータコイル２０５を介してＩＣカード２００に送信する。
【００９３】
次のステップＳ３５０では、表示データの送信回数を示す上記送信カウンタに１を加える。
【００９４】
次のステップＳ３６０では、上記ステップＳ３３０と同様に５ｍ秒待機する。
【００９５】
次のステップＳ３７０では、電源スイッチ３０８Ａに制御信号を出力し、受信回路３０７Ａ側に切り替える。これにより、電源３１０の電力が受信回路３０７Ａに供給されるとともに送信回路３０６Ａへの電力供給が遮断され、受信回路３０７Ａの電源がＯＮとなり送信回路３０６Ａの電源がＯＦＦとなる（図３に示す状態）。
【００９６】
次のステップＳ３８０では、上記ステップＳ３７０で受信回路３０７Ａの電源をＯＮとしてからの時間（応答待ち時間）のカウントを開始する。なお、このカウントはスキャナ制御部３０９が有する図示しないタイマにより行われる。
【００９７】
次のステップＳ３９０では、ＩＣカード２００からの先のステップＳ３４０で行ったデータの書込みに対する応答信号、すなわち書込み完了応答信号が未受信であるかどうかを判定する。受信していなければ、判定が満たされて次のステップＳ４００に移る。一方、書込み完了応答信号を受信している場合、判定が満たされずにステップＳ４１０に移り、５ｍ秒待機して本フローを終了する。
【００９８】
ステップＳ４００では、上記ステップＳ３８０で開始した応答待ち時間のカウントが１００ｍ秒以上となったかどうかを判定する。１００ｍ秒未満であれば判定が満たされずにステップＳ３９０に戻る。一方、１００ｍ秒以上であれば判定が満たされて次のステップＳ４２０に移る。
【００９９】
ステップＳ４２０では、表示データの送信回数を示す上記送信カウンタが５以上であるかどうかを判定する。５未満であるばあいには判定が満たされず、ステップＳ３２０に戻る。一方、５以上である場合には、判定が満たされて本フローを終了する。
【０１００】
以上説明したように、データ書込み処理においては、ステップＳ３２０〜ステップＳ４２０における「送信状態としてから５ｍ秒後に表示データ送信→５ｍ秒後に受信状態に切替→１００ｍ秒応答を待つ→送信状態に切替→表示データを送信」という手順が５回繰り返されるようになっている。なお、ここでは表示データの送信を５回繰り返すようにしたが、この回数に限らずさらに少なくしても多くしてもよい。また、データの送信回数を設定するのではなく、ＩＣカード２００側から適宜の信号を受信した場合にデータ書込み処理を終えるようにしてもよい。
【０１０１】
図７は上記図４のステップＳ５００のカード無検出処理の詳細手順を表すフローチャートである。
【０１０２】
まずステップＳ５１０では、電源スイッチ３０８Ａに制御信号を出力し、送信回路３０６Ａ側に切り替える。これにより、電源３１０の電力が送信回路３０６Ａに供給されるとともに受信回路３０７Ａへの電力供給が遮断され、送信回路３０６Ａの電源がＯＮとなり受信回路３０７Ａの電源がＯＦＦとなる。
【０１０３】
次のステップＳ５２０では５ｍ秒待機する。なお、この５ｍ秒のカウントはスキャナ制御部３０９が有する図示しないタイマにより行われる。
【０１０４】
次のステップＳ５３０では、送信回路３０６Ａに制御信号を出力し、データコイル３０５Ａ，２０５を介してＩＣカード２００に対しＩＤ要求信号を送信する。
【０１０５】
次のステップＳ５４０では、上記ステップＳ５２０と同様にして５ｍ秒待機する。
【０１０６】
次のステップＳ５５０では、電源スイッチ３０８Ａに制御信号を出力し、受信回路３０７Ａ側に切り替える。これにより、電源３１０の電力が受信回路３０７Ａに供給されるとともに送信回路３０６Ａへの電力供給が遮断され、受信回路３０７Ａの電源がＯＮとなり送信回路３０６Ａの電源がＯＦＦとなる（図３に示す状態）。
【０１０７】
次のステップＳ５６０では、上記ステップＳ５５０で受信回路３０７Ａの電源をＯＮとしてからの時間（応答待ち時間）のカウントを開始する。なお、このカウントはスキャナ制御部３０９が有する図示しないタイマにより行われる。
【０１０８】
次のステップＳ５７０では、ＩＣカード２００からの先のステップＳ１３０で送信したＩＤ要求信号に対する応答信号、すなわちカードＩＤが未受信であるかどうかを判定する。受信している場合、判定が満たされずに次のステップＳ５８０に移り、１００ｍ秒待機した後にステップＳ５１０に戻る。一方、受信していなければ、判定が満たされて次のステップＳ５９０に移る。
【０１０９】
ステップＳ５９０では、上記ステップＳ５６０で開始した応答待ち時間のカウントが１００ｍ秒以上となったかどうかを判定する。１００ｍ秒以上であれば判定が満たされて次のステップＳ６００に移る。一方、１００ｍ秒未満であれば判定が満たされずにステップＳ５７０に戻る。
【０１１０】
ステップＳ６００では５ｍ秒待機して本フローを終了する。
【０１１１】
以上説明したカード無検出処理においては、ＩＣカード２００のカードＩＤが受信される限り（言い換えればＩＣカード２００が無線通信装置３００の凹部３０２から外されない限り）、ステップＳ５１０〜ステップＳ５８０において「送信状態に切替→５ｍ秒後にＩＤ要求信号を送信→５ｍ秒後に受信状態に切替→１００ｍ秒応答を待つ→送信状態に切替」が繰り返されるようになっている。
【０１１２】
次にカード制御部２１０により行われる制御手順について詳細に説明する。
【０１１３】
図８は、通信時にＩＣカード２００のカード制御部２１０により行われる制御手順を表すフローチャートである。
【０１１４】
まずステップＳ７００では、データコイル３０５Ａ及びデータコイル２０５を介して無線通信装置３００から送信される信号を受信するコマンド受信処理を行う（詳細は後述の図９参照）。
【０１１５】
次のステップＳ７７０では、無線通信装置３００からデータコイル３０５Ａ
，２０５を介して受信した信号が、ＩＤ要求信号（図５のステップＳ１３０参照）であるかどうかを判定する。ＩＤ要求信号であれば判定が満たされて、次のステップＳ８００に移る。
【０１１６】
ステップＳ８００では、データコイル２０５，３０５Ａを介して無線通信装置３００にカードＩＤを送信するＩＤ応答送信処理を行う（詳細は後述の図１０参照）。その後、ステップＳ７００に戻る。
【０１１７】
なお、先のステップＳ７７０で受信信号がＩＤ要求信号でない場合には、判定が満たされずにステップＳ７８０に移り、表示データ（図６のステップＳ３４０参照）であるかどうかを判定する。表示データであれば判定が満たされて、次のステップＳ９００に移る。
【０１１８】
ステップＳ９００では、無線通信装置３００からデータコイル３０５Ａ，２０５を介して送信される表示データをメモリに書込むとともに、上記液晶表示部２０３で表示する書込み・表示処理を行う（詳細は後述の図１１参照）。
【０１１９】
図９は上記ステップＳ７００のコマンド受信処理の詳細手順を表すフローチャートである。
【０１２０】
次のステップＳ７１０では、電源スイッチ２０８に制御信号を出力し、受信回路２０７側に切り替える。これにより、無線通信装置３００の電源３１０から給電コイル３０４及び受電コイル２０１を介して供給された電力が受信回路２０７に供給されるとともに送信回路２０６への電力供給が遮断され、受信回路２０７の電源がＯＮとなり送信回路２０６の電源がＯＦＦとなる。
【０１２１】
次のステップＳ７２０では５ｍ秒待機する。なお、この５ｍ秒のカウントはカード制御部２１０が有する図示しないタイマにより行われる。
【０１２２】
次のステップＳ７３０では、無線通信装置３００からデータコイル３０５Ａ
，２０５を介して信号を受信したかどうかを判定する。受信した場合には判定が満たされて本フローを終了する。一方、受信していない場合には判定が満たされずにステップＳ７１０に戻る。
【０１２３】
図１０は上記図８のステップＳ８００のＩＤ応答送信処理の詳細手順を表すフローチャートである。
【０１２４】
まずステップＳ８１０では５ｍ秒待機する。
【０１２５】
次のステップＳ８２０では、電源スイッチ２０８に制御信号を出力し、送信回路２０６側に切り替える。これにより、無線通信装置３００の電源３１０から給電コイル３０４及び受電コイル２０１を介して供給された電力が送信回路２０６に供給されるとともに受信回路２０７への電力供給が遮断され、送信回路２０６の電源がＯＮとなり受信回路２０７の電源がＯＦＦとなる（図３に示す状態）。
【０１２６】
次のステップＳ８３０では５ｍ秒待機する。
【０１２７】
次のステップＳ８４０では、送信回路２０６に制御信号を出力し、ＩＤ要求信号に対する応答信号（すなわちカードＩＤ）としての所定の変調を行った搬送波をデータコイル２０５及びデータコイル３０５Ａを介して無線通信装置３００に対し送信する。
【０１２８】
次のステップＳ８５０で５ｍ秒待機した後、本フローを終了する。
【０１２９】
図１１は上記図８のステップＳ９００の書込み・表示処理の詳細手順を表すフローチャートである。
【０１３０】
まずステップＳ９１０では、無線通信装置３００からデータコイル３０５Ａ及びデータコイル２０５を介して受信された表示データ（図６のステップＳ３４０参照）を受信回路２０７で復調して取り込み、図示しないメモリに取り込む。
【０１３１】
次のステップＳ９２０では、無線通信装置３００から全ての表示データを受信してメモリに記憶したかどうかを判定する。すなわち本実施形態では表示データが５回送信されるので（図６参照）、５回分の表示データ全てを受信してメモリに記憶したかどうかを判定する。全ての表示データを受信していない場合には、判定が満たされずにステップＳ９１０に戻る。一方、全ての表示データを受信した場合には、判定が満たされて次のステップＳ９３０に移る。
【０１３２】
ステップＳ９３０では、表示制御回路２０９に制御信号を出力し、メモリに記憶した表示データに係る情報を液晶表示部２０３に表示させる。この液晶表示部２０３に表示する情報としては、ＩＣカード２００が例えばキャッシュカード（又はプリペイドカード）である場合における残高表示や、ＩＣカード２００が例えば商品等の購入金額に応じてポイントが加算されるポイントカードである場合におけるポイント表示等が挙げられる。また、給電コイル３０４及び受電コイル２０４を介して行われる給電状態（電池マーク等）を表示するようにしてもよい。
【０１３３】
次のステップＳ９４０では５ｍ秒待機する。
【０１３４】
次のステップＳ９５０では、電源スイッチ２０８に制御信号を出力し、送信回路２０６側に切り替える。これにより、無線通信装置３００の電源３１０から給電コイル３０４及び受電コイル２０１を介して供給された電力が送信回路２０６に供給されるとともに受信回路２０７への電力供給が遮断され、送信回路２０６の電源がＯＮとなり受信回路２０７の電源がＯＦＦとなる（図３に示す状態）。
【０１３５】
次のステップＳ９６０では５ｍ秒待機する。
【０１３６】
次のステップＳ９７０では、送信回路２０６に制御信号を出力し、書込み完了応答信号（図６のステップＳ３９０参照）としての所定の変調を行った搬送波をデータコイル２０５及びデータコイル３０５Ａを介して無線通信装置３００に対し送信する。
【０１３７】
次のステップＳ９８０では５ｍ秒待機した後に本フローを終了する。
【０１３８】
図１２は、以上の図４〜図１１により説明した無線通信装置３００とＩＣカード２００との間で通信時に行われる信号のやりとりを時系列で表したタイムチャートである。なお、この図１２において、「送」は無線通信装置３００の送信回路３０６Ａ（若しくは送信回路３０６Ｂ）の電源がＯＮ又はＩＣカード２００の送信回路２０６の電源がＯＮである状態（以下、送信状態）を表しており、「受」は無線通信装置３００の受信回路３０７Ａ（若しくは受信回路３０７Ｂ）の電源がＯＮ又はＩＣカード２００の受信回路２０７の電源がＯＮである状態（以下、受信状態）を表している。
【０１３９】
この図１２において、ＩＣカード２００が無線通信装置３００の凹部３０２に置かれていない状態では、無線通信装置３００からデータコイル３０５Ａ，２０５を介してＩＣカード２００にＩＤ要求信号（図１２中ＩＤ要求１で示す）が周期的に送信される。すなわち、無線通信装置３００において「送信状態に切替→５ｍ秒後にＩＤ要求信号を送信→５ｍ秒後に受信状態に切替→１００ｍ秒応答を待つ→送信状態に切替」が繰り返される（図５のステップＳ１１０〜ステップＳ１８０）。
【０１４０】
ＩＣカード２００が無線通信装置３００の凹部３０２に置かれると、ＩＣカード２００は無線通信装置３００から上記周期的に送信されるＩＤ要求信号（図１２中ＩＤ要求２で示す）を受信する。これにより、受信から５ｍ秒後にＩＣカード２００の送信回路２０６の電源がＯＮとなって送信状態に切り替わる（図１０のステップＳ８２０）。なお、上記したように無線通信装置３００においてはＩＤ要求２の送信後５ｍ秒後に受信回路３０７Ａ（又は受信回路３０７Ｂ）の電源がＯＮとなって受信状態に切り替わる（図５のステップＳ１５０）。すなわち、無線通信装置３００が受信状態に切り替わるとほぼ同時にＩＣカード２００が送信状態に切り替わる。
【０１４１】
上記ＩＣカード２００の送信状態への切り替わり後５ｍ秒後、ＩＣカード２００からデータコイル２０５，３０５Ａを介して無線通信装置３００にＩＤ応答信号（図１２中ＩＤ応答３で示す）が送信される（図１０のステップＳ８４０）。無線通信装置３００は、このＩＤ応答３を受信することにより、ＩＣカード２００が凹部３０２に置かれたことを検出する。そして、ＩＤ応答３を受信した後５ｍ秒後に送信状態に切り替わる（図６のステップＳ３２０）。なお、ＩＣカード２００はＩＤ応答３送信後５ｍ秒後に受信状態に切り替わるため（図９のステップＳ７１０）、上記無線通信装置３００の送信状態への切替えとＩＣカード２００の受信状態への切替えはほぼ同時に行われる。
【０１４２】
上記無線通信装置３００の送信状態への切り替わり後５ｍ秒後、無線通信装置３００からデータコイル３０５Ａ，２０５を介してＩＣカード２００に表示データ（図１２中表示データ４で示す）が送信される（図６のステップＳ３４０）。本実施形態では表示データ４は５回に分けて送信される（図６のステップＳ４２０）。これにより、ＩＣカード２００は全表示データ受信後５ｍ秒後に送信状態に切り替わる（図１１のステップＳ９５０）。なお、無線通信装置３００は最後の表示データ４の送信完了後５ｍ秒後に受信状態に切り替わるため（図６のステップＳ３７０）、上記無線通信装置３００の受信状態への切替えとＩＣカード２００の送信状態への切替えはほぼ同時に行われる。
【０１４３】
上記ＩＣカード２００の送信状態への切り替わり後５ｍ秒後、ＩＣカード２００からデータコイル２０５，３０５Ａを介して無線通信装置３００に書込み完了応答信号（図１２中書込み完了応答５で示す）が送信される（図１１のステップＳ９７０）。これにより、無線通信装置３００は書込み応答完了信号５を受信した後５ｍ秒後に送信状態に切り替わる（図７のステップＳ５１０）。なお、ＩＣカード２００は書込み完了応答５の送信後５ｍ秒後に受信状態に切り替わるため（図９のステップＳ７１０）、上記無線通信装置３００の送信状態への切替えとＩＣカード２００の受信状態への切替えはほぼ同時に行われる。
【０１４４】
上記無線通信装置３００の送信状態への切り替わり後５ｍ秒後、無線通信装置３００からデータコイル３０５Ａ，２０５を介してＩＣカード２００にＩＤ要求信号（図１２中ＩＤ要求６で示す）を送信する（図７のステップＳ５３０）。これにより、ＩＣカード２００はＩＤ要求６の受信後５ｍ秒後に送信状態に切り替わる（図１０のステップＳ８２０）。なお、無線通信装置３００はＩＤ要求６のの送信後５ｍ秒後に受信状態に切り替わるため（図７のステップＳ５５０）、上記無線通信装置３００の受信状態への切替えとＩＣカード２００の送信状態への切替えはほぼ同時に行われる。
【０１４５】
上記ＩＣカード２００の送信状態への切り替わり後５ｍ秒後、ＩＣカード２００からデータコイル２０５，３０５Ａを介して無線通信装置３００にＩＤ応答信号（図１２中ＩＤ応答７で示す）が送信される（図１０のステップＳ８４０）。無線通信装置３００は、このＩＤ応答７を受信することにより、ＩＣカード２００が凹部３０２にまだ置かれていることを検出する。そして、ＩＤ応答３を受信した後１００ｍ秒待機した後に送信状態に切り替わる（図７のステップＳ５１０）。さらに、送信状態への切り替わり後５ｍ秒後にＩＤ要求１をＩＣカード２００に送信する。この後は、「５ｍ秒後に受信状態に切替→１００ｍ秒応答を待つ→送信状態に切替→５ｍ秒後にＩＤ要求信号を送信→５ｍ秒後に受信状態に切替」が繰り返される（図５のステップＳ１１０〜ステップＳ１８０）。この間にＩＣカード２００からのＩＤ応答７が受信されなくなると、無線通信装置３００はＩＣカード２００が無線通信装置３００の凹部３０２から離されたことを検出する。
【０１４６】
以上のように、無線通信装置３００側が送信状態に切り替わるとＩＣカード２００側が受信状態に切り替わり、無線通信装置３００側が受信状態に切り替わるとＩＣカード２００側が送信状態に切り替わる。このように、本実施形態の無線通信システム１００では、受信と送信を片方向ずつ行う半二重通信方式を採用している。
【０１４７】
なお、以上では、トリガ（信号の受信等）から送受信状態の切替までの待機時間を５ｍ秒又は１００ｍ秒に設定したが、これに限られず、適宜異なった時間を設定してもよい。
【０１４８】
以上のように構成した本実施形態においては、無線通信装置３００とＩＣカード２００との通信時には、無線通信装置３００側からの電源電力をその給電コイル３０４からＩＣカード２００の受電コイル２０１を介して供給する一方、無線通信装置３００のデータコイル３０５とＩＣカード２００のデータコイル２０５との間で情報の送受を行う。この無線通信装置３００からＩＣカード２００への電力供給及び相互間の情報の送受信は、ＩＣカード２００が無線通信装置３００の凹部３０２に置かれ、給電コイル３０４と受電コイル２０１、及びデータコイル３０５とデータコイル２０５とが対向配置されることによりそれぞれ行われる。
【０１４９】
このとき、本実施形態においては、無線通信装置３００の対向面３０３において、給電コイル３０４を略中央部に配置するとともに、データコイル３０５Ａ，３０５Ｂを対向面３０３を長手方向（図２中上下方向）に略二分する直線Ｌ１に対して線対称となる一対の線対称位置の双方に設ける。これにより、通信時にユーザが無線通信装置３００の凹部３０３にＩＣカード２００を置く際に、図１３に示すように、（ａ）の通常状態からＩＣカード２００を縦方向（言い換えるとＩＣカード２００の長手方向、又は直線Ｌ１に平行な直線を回転軸とする回転方向）に回転させて（ｂ）のように表裏反対に置いた場合であっても、又は（ａ）の通常状態からＩＣカード２００を横方向（言い換えるとＩＣカード２００の短手方向）に回転させて（ｃ）のように表裏反対に置いた場合であっても、無線通信装置３００側の給電コイル３０４とＩＣカード２００側の受電コイル２０４、及び無線通信装置３００側の２箇所に設けたデータコイル３０５Ａ，３０５Ｂのうちの少なくとも１つとＩＣカード２００側のデータコイル２０５とを対向させることができる。
【０１５０】
以上のように、本実施形態によれば、通信時にＩＣカード２００を縦方向又は横方向に回転させて表裏反対としても、給電コイル３０４と受電コイル２０４、及びデータコイル３０５とデータコイル２０５とを対向させることができ、無線通信装置３００からＩＣカード２００への電力供給及び情報の送受信を行うことができる。これにより、ＩＣカード２００への電力供給及び情報の送受信を行うことが可能なＩＣカード２００と無線通信装置３００との対向配置態様の自由度を増加でき、ＩＣカード２００を利用するユーザの利便性を向上できる。その一方で、本実施形態では上記のようにＩＣカード２００を表裏反対としても通信可能な構成とした結果、例えばＩＣカード２００の表裏を検出して送信・受信回路を切り替えるといった回路構成が不要となり、回路構成を単純化することができる。したがって、簡単な回路構成で、ユーザの利便性を向上することができる。
【０１５１】
また、本実施形態では特に、無線通信装置３００の傾斜面３０１にＩＣカード２００の通信時における対向位置を案内する凹部３０２を設ける。これにより、無線通信装置３００とＩＣカード２００とにおいて、通信時に給電コイル３０４と受電コイル２０４、及びデータコイル３０５とデータコイル２０５とを確実に対向させることができ、その結果、電力供給及び情報の送受信を確実に行うことができる。また、ユーザが配置箇所に特に気を配ることなくＩＣカード２００を適切な通信位置に置くことができるので、ユーザの利便性をさらに向上することができる。
【０１５２】
また、本実施形態では特に、無線通信装置３００側が送信状態に切り替わるとＩＣカード２００側が受信状態に切り替え、無線通信装置３００側が受信状態に切り替わるとＩＣカード２００側が送信状態に切り替える。このように、受信と送信を片方向ずつ行う半二重通信方式を採用することにより、無線通信装置３００側及びＩＣカード２００側において送信用及び受信用のコイルをそれぞれ設ける必要がなく、単一のデータコイルで情報の送受信が可能となるので、回路構成をさらに単純化できる。
【０１５３】
また、本実施形態では特に、ＩＣカード２００の表面２０１に無線通信装置３００との間で送受信される情報に関連する表示を行う液晶表示部２０３を設ける。この液晶表示部２０３により、通信時にＩＣカード２００が無線通信装置３００から受信した情報に関連した表示が行われるので、ユーザは無線通信装置３００とＩＣカード２００との間で通信が行われたことを把握することができる。さらに本実施形態では、液晶表示部２０３に表示電力が不要なコレステリック液晶を採用する。これにより、電力供給を断たれても表示が可能となるため、無線通信装置３００との通信時以外にも前回の通信時に送受信した情報の内容を確認することができ、ユーザの利便性をさらに向上することができる。
【０１５４】
また、本実施形態では特に、ＩＣカード２００の受電コイル２０４に、無線通信装置３００の給電コイル３０４よりやや大きめのコイルを用いる。これにより、通信時にＩＣカード２００が無線通信装置３００の凹部３０２から多少ずれて置かれた場合でも、無線通信装置３００の給電コイル３０４の対向位置がＩＣカード２００における受電コイル２０４の範囲内に収まるように、給電コイル３０４と受電コイル２０４とを対向させることが可能である。その結果、無線通信装置３００側からＩＣカード２００への電力供給を漏れなく確実に行うことができる。
【０１５５】
なお、本発明は、上記実施形態に限られるものではなく、その趣旨及び技術思想を逸脱しない範囲で種々の変形が可能である。以下、そのような変形例を順を追って説明する。
【０１５６】
（１）コイル配置のバリエーション
（i）給電コイルを対称配置
図１４は、本変形例における無線通信装置３００の対向面３０３Ａ内に設けられた給電コイル３０４、データコイル３０５の配置構成及びＩＣカード２００Ａ内に設けられた受電コイル２０４、データコイル２０５の配置構成を表す図である。
【０１５７】
この図１４に示すように、本変形例では、ＩＣカード２００Ａとの間で情報の送受信を行うためのデータコイル３０５は、無線通信装置３００の対向面３０３Ａの略面中心部に設けられており、ＩＣカード２００に電力を供給するための給電コイル３０４Ａ，３０４Ｂは、対向面３０３Ａ上にあり対向面３０３Ａを長手方向（図１４中上下方向）に略二分する直線Ｌ１に対して線対称となる一対の線対称位置の双方に設けられている。なお、短手方向については、上記データコイル３０５及び給電コイル３０４Ａ，３０４Ｂは、対向面３０３Ａの短手方向（図１４中左右方向）略中央部にそれぞれ配置されている。
【０１５８】
一方、ＩＣカード２００Ａ側では、上記データコイル３０５と磁気的に結合して無線通信装置３００との間で情報の送受信を行うためのデータコイル２０５はＩＣカード２００Ａの略面中心部に設けられており、上記給電コイル３０４Ａ又は３０４Ｂと磁気的に結合して無線通信装置３００から供給される電力を受電するための受電コイル２０４は、上記無線通信装置３００の給電コイル３０４Ａ又は３０４Ｂ（本変形例では給電コイル３０４Ａ）に対応する位置に設けられている。
【０１５９】
上記構成である本変形例によっても、通信時にＩＣカード２００Ａを縦方向又は横方向に回転させて表裏反対としても、給電コイル３０４と受電コイル２０４、及びデータコイル３０５とデータコイル２０５とを対向させることができ、無線通信装置３００からＩＣカード２００Ａへの電力供給及び情報の送受信を行うことができる。
【０１６０】
（ii）ＩＣカード側のデータコイルを対称配置
図１５は、本変形例における無線通信装置３００の対向面３０３Ｂ内に設けられた給電コイル３０４、データコイル３０５の配置構成及びＩＣカード２００Ｂ内に設けられた受電コイル２０４、データコイル２０５Ａ，２０５Ｂの配置構成を表す図である。
【０１６１】
この図１５に示すように、本変形例では、受電コイル２０４はＩＣカード２００Ｂの略面中心部に設けられており、データコイル２０５Ａ，２０５ＢがＩＣカード２００Ｂ上にありＩＣカード２００Ｂを長手方向（図１５中上下方向）に略二分する直線Ｌ３（第３の直線）に対して線対称となる一対の線対称位置の双方に設けられている。なお、短手方向については、上記データコイル２０５Ａ，２０５Ｂ及び受電コイル２０４は、ＩＣカード２００Ｂの短手方向（図１５中左右方向）略中央部にそれぞれ配置されている。
【０１６２】
一方、無線通信装置３００側では、給電コイル３０４は対向面３０３Ｂの略面中心部に設けられており、データコイル３０５は上記ＩＣカード２００Ｂのデータコイル２０５Ａ又は２０５Ｂ（本変形例ではデータコイル２０５Ａ）に対応する位置に設けられている。
【０１６３】
上記構成である本変形例によっても、通信時にＩＣカード２００Ｂを縦方向又は横方向に回転させて表裏反対としても、給電コイル３０４と受電コイル２０４、及びデータコイル３０５とデータコイル２０５とを対向させることができ、無線通信装置３００からＩＣカード２００Ｂへの電力供給及び情報の送受信を行うことができる。
【０１６４】
（iii）受電コイルを対称配置
図１６は、本変形例における無線通信装置３００の対向面３０３Ｃ内に設けられた給電コイル３０４、データコイル３０５の配置構成及びＩＣカード２００Ｃ内に設けられた受電コイル２０４Ａ，２０４Ｂ、データコイル２０５の配置構成を表す図である。
【０１６５】
この図１５に示すように、本変形例では、データコイル２０５はＩＣカード２００Ｃの略面中心部に設けられており、受電コイル２０４Ａ，２０４ＢがＩＣカード２００Ｃ上にありＩＣカード２００Ｃを長手方向（図１６中上下方向）に略二分する直線Ｌ３に対して線対称となる一対の線対称位置の双方に設けられている。なお、短手方向については、上記データコイル２０５及び受電コイル２０４Ａ，２０４Ｂは、ＩＣカード２００Ｃの短手方向（図１６中左右方向）略中央部にそれぞれ配置されている。
【０１６６】
一方、無線通信装置３００側では、データコイル３０５は対向面３０３Ｃの略面中心部に設けられており、給電コイル３０４は上記ＩＣカード２００Ｃの給電コイル２０４Ａ又は２０４Ｂ（本変形例ではデータコイル２０４Ａ）に対応する位置に設けられている。
【０１６７】
上記構成である本変形例によっても、通信時にＩＣカード２００Ｃを縦方向又は横方向に回転させて表裏反対としても、給電コイル３０４と受電コイル２０４、及びデータコイル３０５とデータコイル２０５とを対向させることができ、無線通信装置３００からＩＣカード２００Ｃへの電力供給及び情報の送受信を行うことができる。
【０１６８】
（iv）データコイルを横長に配置
図１７は、本変形例における無線通信装置３００の対向面３０３Ｄ内に設けられた給電コイル３０４、データコイル３０５Ａ′，３０５Ｂ′の配置構成及びＩＣカード２００Ｄ内に設けられた受電コイル２０４、データコイル２０５の配置構成を表す図である。
【０１６９】
この図１７に示すように、本変形例では、給電コイル３０４は無線通信装置３００の対向面３０３Ｄの略面中心部に設けられており、データコイル３０５Ａ′，３０５Ｂ′が対向面３０３Ｄ上にあり対向面３０３Ｄを長手方向（図１７中上下方向）に略二分する直線Ｌ１に対して線対称となる一対の線対称位置の双方に設けられている。さらに、本変形例においては、図に示すように、データコイル３０５Ａ′，３０５Ｂ′が、その上記直線Ｌ１方向（図１７中左右方向）長さがその直線Ｌ１と略直角となる方向（図１７中上下方向）長さよりも長くなるようにそれぞれ設けられている。
【０１７０】
一方、ＩＣカード２００Ｄ側では、受電コイル２０４はＩＣカード２００Ｄの略面中心部に設けられており、データコイル２０５は、カード長手方向（図１７中上下方向）においては上記無線通信装置３００のデータコイル３０５Ａ′又は３０５Ｂ′（本変形例ではデータコイル３０５Ａ′）に対応する位置であり、且つカード短手方向（図１７中左右方向）においては図に示すように一方側（図１７中右側）に偏って設けられている。
【０１７１】
本変形例のように、ＩＣカード２００Ｄ側のデータコイル２０５のカード短手方向配置が一方側に偏っている場合、ＩＣカード２００Ｄを横方向（直線Ｌ１と略直角となる後述の直線Ｌ３に平行な直線を軸とする回転方向）に回転させて表裏反対とする場合、ＩＣカード２００Ｄのデータコイル２０５の位置はその表裏回転動作によって上記直線Ｌ１と略平行な方向に沿って移動する。したがって、上記実施形態及び変形例（i）〜（iii）のコイル配置では、ＩＣカード２００Ｄの横方向の回転に対応することができない。また、縦方向（直線Ｌ１に平行な直線を軸とする回転方向）に回転させて表裏反対とする場合も同様である。
【０１７２】
これに対し、本変形例では、上記したように無線通信装置３００側のデータコイル３０５Ａ′，３０５Ｂ′をそれぞれ略楕円形状となるように設けるので、上記ＩＣカード２００Ｄの横方向の表裏回転動作に伴うデータコイル２０５の対向位置の移動範囲を包含することが可能となる。また、縦方向の表裏回転についても同様である。したがって、本変形例によれば、通信時にＩＣカード２００Ｄを縦方向又は横方向に回転させて表裏反対としても、給電コイル３０４と受電コイル２０４、及びデータコイル３０５′とデータコイル２０５とを対向させることができ、無線通信装置３００からＩＣカード２００Ｄへの電力供給及び情報の送受信を行うことができる。
【０１７３】
なお、特に図示して説明はしないが、上記変形例において、前述した変形例（i）のように給電コイルを線対称配置として略楕円形状となるように設けてもよい。また、変形例（ii）のようにＩＣカード２００Ｄ側のデータコイルを線対称配置として略楕円形状となるように設けてもよいし、さらに変形例（iii）のようにＩＣカード２００Ｄ側の受電コイルを線対称配置として略楕円形状に設けてもよい。この場合にも、同様の効果を得ることができる。
【０１７４】
（v）給電コイルを囲むようにデータコイルを配置
図１８は、本変形例における無線通信装置３００の対向面３０３Ｅ内に設けられた給電コイル３０４、データコイル３０５Ａ″，３０５Ｂ″，３０５Ｃ″，３０５Ｄ″の配置構成及びＩＣカード２００Ｅ内に設けられた受電コイル２０４、データコイル２０５の配置構成を表す図である。
【０１７５】
この図１８に示すように、本変形例では、無線通信装置３００の対向面３０３Ｅの形状を、一辺の長さがＩＣカード２００Ｅの長手方向（図１８中上下方向）長さとなる略正方形としている。そして、給電コイル３０４は上記対向面３０３Ｅの略面中心部に設けられており、データコイル３０５Ａ″，３０５Ｂ″が対向面３０３Ｅ上にあり対向面３０３Ｅを図１８中上下方向に略二分する直線Ｌ１に対して線対称となる一対の線対称位置の双方に設けられるとともに、データコイル３０５Ｃ″，３０５Ｄ″が対向面３０３Ｅ上にあり対向面３０３Ｅを図１８中左右方向に略二分する直線Ｌ３に対して線対称となる一対の線対称位置の双方に設けられている。さらに、本変形例においては、図に示すように、データコイル３０５Ａ″，３０５Ｂ″がその上記直線Ｌ１方向（図１８中左右方向）長さがその上記直線Ｌ３方向（図１８中上下方向）長さよりも長くなるようにそれぞれ設けられるとともに、データコイル３０５Ｃ″，３０５Ｄ″がその上記直線Ｌ３方向（図１８中上下方向）長さがその上記直線Ｌ１方向（図１８中左右方向）長さよりも長くなるようにそれぞれ設けられている。なお、データコイル３０５Ａ″，３０５Ｂ″，３０５Ｃ″，３０５Ｄ″は、その両端が互いに重なるようにそれぞれ配置されており、その結果、給電コイル３０４の四方を囲むように設けられている。
【０１７６】
一方、ＩＣカード２００Ｄ側では、受電コイル２０４はＩＣカード２００Ｄの略面中心部に設けられており、データコイル２０５は、カード長手方向（図１８中上下方向）において上記無線通信装置３００のデータコイル３０５Ａ″又は３０５Ｂ″（本変形例ではデータコイル３０５Ａ″）に対応する位置であり、且つカード短手方向（図１８中左右方向）においては略中央部に設けられている。なお、上記変形例（iv）と同様にカード短手方向において一方側に偏って設けてもよい。
【０１７７】
本変形例では、上記したように無線通信装置３００側のデータコイル３０５Ａ″，３０５Ｂ″，３０５Ｃ″，３０５Ｄ″を給電コイル３０４の四方を囲むように設けるので、通信時にＩＣカード２００Ｅを縦方向又は横方向に回転させて表裏反対としても、さらにＩＣカード２００Ｅをそのカード面上において回転させた場合でも、給電コイル３０４と受電コイル２０４、及びデータコイル３０５″とデータコイル２０５とを対向させることができる。したがって、ＩＣカード２００Ｅへの電力供給及び情報の送受信を行うことが可能なＩＣカード２００Ｅと無線通信装置３００との対向配置態様の自由度をさらに増加でき、ＩＣカード２００Ｅを利用するユーザの利便性をさらに向上できる。
【０１７８】
なお、特に図示して説明はしないが、上記変形例において、前述した変形例（i）のように給電コイルを略楕円形状として四方を囲むように設けてもよい。また、変形例（ii）のようにＩＣカード２００Ｅ側のデータコイルを略楕円形状として四方を囲むように設けてもよいし、さらに変形例（iii）のようにＩＣカード２００Ｅ側の受電コイルを略楕円形状として四方を囲むように設けてもよい。この場合にも、同様の効果を得ることができる。
【０１７９】
（２）データ表示時に電力を増大
上記実施形態では、通信時に無線通信装置３００から給電コイル３０４及び受電コイル２０４を介してＩＣカード２００に供給する電力の大きさを特に制御しなかったが、表示データの送信時（液晶表示部２０３による表示時）においてその電力を増大するようにしてもよい。
【０１８０】
図１９は本変形例におけるデータ書込み処理の詳細手順を表すフローチャートである。
【０１８１】
この図１９において、上記実施形態の図６と異なる点は、ステップＳ３２５及びステップＳ４１５である。すなわち、ステップＳ３２０において送信回路３０６Ａの電源をＯＮとした後、ステップＳ３２５において電源３１０から給電コイル３０４及び受電コイル２０４を介してＩＣカード２００に供給する電力を増大させる。そして、ステップＳ３３０で５ｍ秒待機した後に、ステップＳ３４０でＩＣカード２００に表示データを送信する。
【０１８２】
一方、ステップＳ３２０〜ステップＳ４００及びステップＳ４２０において全表示データの送信が終了した場合、又はＩＣカード２００から書込み応答完了信号を受信した場合には、ステップＳ３９０の判定が満たされずにステップＳ４１５に移る。このステップＳ４１５において、上記ステップＳ３２５で増大させた供給電力を元の電力に復帰する。
【０１８３】
なお、上記電力の増大及び復帰制御は、スキャナ制御部３０９から図示しない電力制御回路へ出力される制御信号によって行われる。また、給電コイル３０４を直列に接続した複数のコイルからなる多重コイル構造としておき、コイルを切替えることにより制御するようにしてもよい。
【０１８４】
本変形例によれば、通信時に必要に応じてＩＣカード２００への供給電力を増大させることができる。その結果、比較的大きな電力を有する液晶表示部２０３に対して表示を行うために十分な電力を供給することができ、液晶表示部２０３による表示を確実に行うことができる。
【０１８５】
（３）ＩＣカードのガイド手段のバリエーション
上記実施形態では、ＩＣカード２００の通信時の対向位置をガイドするガイド手段として、無線通信装置３００の傾斜面３０１に凹部３０２を設けるようにしたが、これに限られない。すなわち、例えば傾斜面３０１上におけるＩＣカード２００の四隅（又はそれ以下の隅でもよい）に対応する位置に枠部材を設けるようにしてもよい。また、例えば傾斜面３０１上におけるＩＣカード２００を置く位置にその旨を示す絵（又は字等）を描写するようにしてもよい。
【０１８６】
その他、一々例示はしないが、本発明は、その趣旨を逸脱しない範囲内において、種々の変更が加えられて実施されるものである。
【図面の簡単な説明】
【０１８７】
【図１】本発明の無線通信システムの一実施形態の全体構造を簡略的に表す図である。
【図２】本発明の無線通信システムの一実施形態が有する無線通信装置の対向面内に設けられた給電コイル、データコイルの配置構成及びＩＣカード内に設けられた受電コイル、データコイルの配置構成を表す図である。
【図３】本発明の無線通信システムの一実施形態が有するＩＣカード及び無線通信装置の機能的構成の詳細を表す機能ブロック図である。
【図４】通信時に無線通信装置のスキャナ制御部により行われる制御手順を表すフローチャートである。
【図５】図４に示すフローチャート中のカード有検出処理の詳細手順を表すフローチャートである。
【図６】図４に示すフローチャート中のデータ書込み処理の詳細手順を表すフローチャートである。
【図７】図４に示すフローチャート中のカード無検出処理の詳細手順を表すフローチャートである。
【図８】通信時にＩＣカードのカード制御部により行われる制御手順を表すフローチャートである。
【図９】図８に示すフローチャート中のコマンド受信処理の詳細手順を表すフローチャートである。
【図１０】図８に示すフローチャート中のＩＤ応答送信処理の詳細手順を表すフローチャートである。
【図１１】図８に示すフローチャート中の書込み・表示処理の詳細手順を表すフローチャートである。
【図１２】無線通信装置とＩＣカードとの間で通信時に行われる信号のやりとりを時系列で表したタイムチャートである。
【図１３】本実施形態において得られる、ＩＣカードを表裏反対にしても電力供給及び情報の送受信が可能となる効果を説明するための図である。
【図１４】給電コイルを対称配置とする変形例における、無線通信装置の対向面内に設けられた給電コイル、データコイルの配置構成及びＩＣカード内に設けられた受電コイル、データコイルの配置構成を表す図である。
【図１５】ＩＣカード側のデータコイルを対称配置とする変形例における、無線通信装置の対向面内に設けられた給電コイル、データコイルの配置構成及びＩＣカード内に設けられた受電コイル、データコイルの配置構成を表す図である。
【図１６】受電コイルを対称配置とする変形例における、無線通信装置の対向面内に設けられた給電コイル、データコイルの配置構成及びＩＣカード内に設けられた受電コイル、データコイルの配置構成を表す図である。
【図１７】データコイルを横長に配置する変形例における、無線通信装置の対向面内に設けられた給電コイル、データコイルの配置構成及びＩＣカード内に設けられた受電コイル、データコイルの配置構成を表す図である。
【図１８】給電コイルを囲むようにデータコイルを配置する変形例における、無線通信装置の対向面内に設けられた給電コイル、データコイルの配置構成及びＩＣカード内に設けられた受電コイル、データコイルの配置構成を表す図である。
【図１９】データ表示時に電力を増大させる変形例における、データ書込み処理の詳細手順を表すフローチャートである。
【符号の説明】
【０１８８】
１００        無線通信システム
２００        ＩＣカード（無線通信媒体）
２００Ａ      ＩＣカード（無線通信媒体）
２００Ｂ      ＩＣカード（無線通信媒体）
２００Ｃ      ＩＣカード（無線通信媒体）
２００Ｄ      ＩＣカード（無線通信媒体）
２００Ｅ      ＩＣカード（無線通信媒体）
２０１        表面（媒体側配置面）
２０２        裏面（媒体側配置面）
２０３        液晶表示部（表示手段）
２０４        受電コイル（受電部）
２０５        データコイル（媒体側情報送受部）
２０８        電源スイッチ（第２切替手段）
３００        無線通信装置
３０１        傾斜面（装置側配置面）
３０２        凹部（ガイド手段）
３０３        対向面（対向部）
３０３Ａ      対向面（対向部）
３０３Ｂ      対向面（対向部）
３０３Ｃ      対向面（対向部）
３０３Ｄ      対向面（対向部）
３０３Ｅ      対向面（対向部）
３０４        給電コイル（給電部）
３０５Ａ      データコイル（装置側情報送受部）
３０５Ｂ      データコイル（装置側情報送受部）
３０８Ａ      電源スイッチ（第１切替手段）
３０８Ｂ      電源スイッチ（第１切替手段）
【図１】
0004753153.tif 000002
【図２】
0004753153.tif 000003
【図３】
0004753153.tif 000004
【図４】
0004753153.tif 000005
【図５】
0004753153.tif 000006
【図６】
0004753153.tif 000007
【図７】
0004753153.tif 000008
【図８】
0004753153.tif 000009
【図９】
0004753153.tif 000010
【図１０】
0004753153.tif 000011
【図１１】
0004753153.tif 000012
【図１２】
0004753153.tif 000013
【図１３】
0004753153.tif 000014
【図１４】
0004753153.tif 000015
【図１５】
0004753153.tif 000016
【図１６】
0004753153.tif 000017
【図１７】
0004753153.tif 000018
【図１８】
0004753153.tif 000019
【図１９】
0004753153.tif 000020